(57)【要約】【課題】受信電話番号に基づく名前および電話番号の決定時間の最大値を大幅に短縮することができる電話装置を提供することを目的とする。【解決手段】電話帳部格納の所定数の電話番号の下位所定桁数の部分的電話番号を予め読み込んでＲＡＭに格納する第１の格納手段１１１と、受信電話番号をＲＡＭに格納する第２の格納手段１１１と、部分的電話番号と受信電話番号とを所定桁数で順次に比較する第１の比較手段１１２と、比較で一致した場合には一致した部分的電話番号に対応する全桁電話番号を電話帳部から読み出してＲＡＭに格納する第３の格納手段１１１と、全桁電話番号と受信電話番号とを比較する第２の比較手段１１２と、比較で一致した場合には全桁電話番号に対応する名前を電話帳部から読み出してＲＡＭに格納する第４の格納手段１１１と、対応する名前を表示する表示手段１１３とを有する。【選択図】　図２
2004048238.tif 000002
【特許請求の範囲】
【請求項１】
名前と電話番号を格納する電話帳部と、回線インタフェース部を介して電話回線からの電話番号情報を受信する電話番号情報受信部と、全体を制御する制御部とを有する電話装置であって、
前記制御部は、前記電話帳部に格納された所定数の電話番号の下位の所定桁数の部分的電話番号を予め読み込んでＲＡＭに格納する第１の格納手段と、前記受信した電話番号情報の示す電話番号である受信電話番号をＲＡＭに格納する第２の格納手段と、前記格納した部分的電話番号と前記受信電話番号とを前記所定桁数において順次に比較する第１の比較手段と、前記第１の比較手段における比較において前記部分的電話番号と前記受信電話番号とが一致した場合には前記一致した部分的電話番号に対応する全桁の電話番号を前記電話帳部から読み出してＲＡＭに格納する第３の格納手段と、前記全桁の電話番号と前記受信電話番号とを比較する第２の比較手段と、前記第２の比較手段における比較において前記全桁の電話番号と前記受信電話番号とが一致した場合には前記全桁の電話番号に対応する名前を前記電話帳部から読み出してＲＡＭに格納する第４の格納手段と、前記対応する名前を表示する表示手段とを有することを特徴とする電話装置。
【請求項２】
前記所定桁数は前記所定数の増減に応じて増減することを特徴とする請求項１に記載の電話装置。
【請求項３】
前記第１の比較手段において前記所定数の電話番号のすべてが前記受信電話番号と一致しなかったと判定した場合には前記受信電話番号のみを前記表示手段が表示することを特徴とする請求項１または２に記載の電話装置。
【請求項４】
名前と電話番号を格納する電話帳部と、回線インタフェース部を介して電話回線からの電話番号情報を受信する電話番号情報受信部と、全体を制御する制御部とを有する電話装置における情報決定方法であって、
前記電話帳部に格納された所定数の電話番号の下位の所定桁数の部分的電話番号を予め読み込んでＲＡＭに格納する第１の格納ステップと、前記受信した電話番号情報の示す電話番号である受信電話番号をＲＡＭに格納する第２の格納ステップと、前記格納した部分的電話番号と前記受信電話番号とを前記所定桁数において順次に比較する第１の比較ステップと、前記第１の比較ステップにおける比較において前記部分的電話番号と前記受信電話番号とが一致した場合には前記一致した部分的電話番号に対応する全桁の電話番号を前記電話帳部から読み出してＲＡＭに格納する第３の格納ステップと、前記全桁の電話番号と前記受信電話番号とを比較する第２の比較ステップと、前記第２の比較ステップにおける比較において前記全桁の電話番号と前記受信電話番号とが一致した場合には前記全桁の電話番号に対応する名前を前記電話帳部から読み出してＲＡＭに格納する第４の格納ステップと、前記対応する名前を表示する第１の表示ステップとを有することを特徴とする情報決定方法。
【請求項５】
前記所定桁数は前記所定数の増減に応じて増減することを特徴とする請求項４に記載の情報決定方法。
【請求項６】
前記第１の比較ステップにおいて前記所定数の電話番号のすべてが前記受信電話番号と一致しなかったと判定した場合には前記受信電話番号のみを表示する第２の表示ステップを備えたことを特徴とする請求項４または５に記載の情報決定方法。
【請求項７】
請求項４乃至６のいずれか１に記載の各ステップを実行するためのプログラムを記録したことを特徴とする記録媒体。
【発明の詳細な説明】
【０００１】
【発明の属する技術分野】
本発明は、名前と電話番号を格納する電話帳部を使用して、電話回線から受信した電話番号に基づいて相手の名前を表示する電話装置に関するものである。
【０００２】
【従来の技術】
近年、電話がかかってきたとき、電話をかけた相手の電話番号を通知するコーラＩＤ（Ｃａｌｌｅｒ−ＩＤ、発呼者識別）サービスが全世界で実施されている。また、電話装置には、上記発呼者識別サービスと電話帳部とを組み合わせて、電話をかけてきた相手の名前を電話装置に表示する機能がある。この機能について説明する。
【０００３】
図１は一般的な電話装置を示すブロック図である。
【０００４】
図１において、１は全体を制御する制御部１１とＲＯＭ１２とＲＡＭ１３とを有するコンピュータ、２はデータを入力する操作部、３は文字や図形を表示するＬＣＤから成る表示部、４は記憶部、５は電話回線２０と接続する回線インタフェース部、６は回線インタフェース部５を介して電話回線２０から電話番号を示す電話番号情報を受信する電話番号情報受信部としてのコーラＩＤ情報受信部（Ｃａｌｌｅｒ−ＩＤ情報受信部）、７は送話部８および受話部９を回線インタフェース部５に接続するための通話回路部である。ここで、記憶部４とＲＯＭ１２は不揮発性メモリであり、ＲＡＭ１３は揮発性メモリである。
【０００５】
このように構成された電話装置１における従来の動作を図５、図６を用いて説明する。図５は従来の電話装置の動作を示すフローチャートであり、図６は従来の電話装置の動作説明図である。図６において、表示部３と制御部（ＣＰＵ）１１と電話回線２０は図１と同様のものであり、１４は名前と電話番号が対になって格納されている電話帳部である。この電話帳部１４は記憶部４内に在る。
【０００６】
図５において、まず、電話がかかってきたとき、電話局が送信してくる電話をかけた相手の電話番号情報（電話番号を示す情報）を回線インタフェース部５を介してコーラＩＤ情報受信部６で受信し、この受信電話番号情報の示す電話番号（受信電話番号）を制御部１１はＲＡＭ１３に格納する（Ｓ１１）。次に、制御部１１は、記憶部４の電話帳部１４から１件の電話番号（例えば５９８７６４１）を読み出してＲＡＭ１３に格納し（Ｓ１２）、受信電話番号と電話帳部１４から読み出した電話番号とを比較する（Ｓ１３）。比較の結果、一致した場合、制御部１１は、電話帳部１４から一致した電話番号に対応する名前（例えば電話番号５９８７６４１の場合はＡｎｄｙ）を読み出してＲＡＭ１３に格納し（Ｓ１４）、その名前と一致した電話番号を表示部３に表示する（Ｓ１５）。
【０００７】
ステップＳ１３で受信電話番号と電話帳部１４から読み出した電話番号とが一致しない場合は、電話帳部１４の全ての電話番号との比較が終了しない限り（Ｓ１６）、ステップＳ１２へ戻る。全ての電話番号との比較が終了したと制御部１１が判定した場合、受信電話番号を表示部３に表示する（Ｓ１７）。従って、ステップＳ１３における比較回数は、電話帳部１４の全ての電話番号（ここでは１００件の電話番号）と比較する場合には１００回となる。ここで、不揮発性メモリの記憶部４の電話帳部１４から１件の電話番号を読み出す時間は２０ｍｓｅｃであり、これを１００回行うと、２０ｍｓｅｃ×１００＝２秒となる。これは１００件の電話番号の場合であり、これが１０００件となると２０秒となる。
【０００８】
【発明が解決しようとする課題】
このように、従来の電話装置では、受信した電話番号から名前と電話番号とを表示する場合、制御部１１における決定時間の最大値が２秒（１００件の場合）というように極めて長いという問題点を有していた。
【０００９】
この電話装置および情報表示方法ならびに記録媒体では、受信した電話番号から名前と電話番号とを表示する場合の決定時間の最大値を大幅に短縮することが要求されている。
【００１０】
本発明は、この要求を満たすため、受信電話番号に基づく名前および電話番号の決定時間の最大値を大幅に短縮することができる電話装置、および、受信電話番号に基づく名前および電話番号の決定時間の最大値を大幅に短縮するための情報決定方法、ならびに、その情報決定方法を実行するための記録媒体を提供することを目的とする。
【００１１】
【課題を解決するための手段】
上記課題を解決するために本発明の電話装置は、名前と電話番号を格納する電話帳部と、回線インタフェース部を介して電話回線からの電話番号情報を受信する電話番号情報受信部と、全体を制御する制御部とを有する電話装置であって、制御部は、電話帳部に格納された所定数の電話番号の下位の所定桁数の部分的電話番号を予め読み込んでＲＡＭに格納する第１の格納手段と、受信した電話番号情報の示す電話番号である受信電話番号をＲＡＭに格納する第２の格納手段と、格納した部分的電話番号と受信電話番号とを所定桁数において順次に比較する第１の比較手段と、第１の比較手段における比較において部分的電話番号と受信電話番号とが一致した場合には一致した部分的電話番号に対応する全桁の電話番号を電話帳部から読み出してＲＡＭに格納する第３の格納手段と、全桁の電話番号と受信電話番号とを比較する第２の比較手段と、第２の比較手段における比較において全桁の電話番号と受信電話番号とが一致した場合には全桁の電話番号に対応する名前を電話帳部から読み出してＲＡＭに格納する第４の格納手段と、対応する名前を表示する表示手段とを有する構成を備えている。
【００１２】
これにより、受信電話番号に基づく名前および電話番号の決定時間の最大値を大幅に短縮することができる電話装置が得られる。
【００１３】
上記課題を解決するために本発明の情報決定方法は、名前と電話番号を格納する電話帳部と、回線インタフェース部を介して電話回線からの電話番号情報を受信する電話番号情報受信部と、全体を制御する制御部とを有する電話装置における情報決定方法であって、電話帳部に格納された所定数の電話番号の下位の所定桁数の部分的電話番号を予め読み込んでＲＡＭに格納する第１の格納ステップと、受信した電話番号情報の示す電話番号である受信電話番号をＲＡＭに格納する第２の格納ステップと、格納した部分的電話番号と受信電話番号とを所定桁数において順次に比較する第１の比較ステップと、第１の比較ステップにおける比較において部分的電話番号と受信電話番号とが一致した場合には一致した部分的電話番号に対応する全桁の電話番号を電話帳部から読み出してＲＡＭに格納する第３の格納ステップと、全桁の電話番号と受信電話番号とを比較する第２の比較ステップと、第２の比較ステップにおける比較において全桁の電話番号と受信電話番号とが一致した場合には全桁の電話番号に対応する名前を電話帳部から読み出してＲＡＭに格納する第４の格納ステップと、対応する名前を表示する第１の表示ステップとを有する構成を備えている。
【００１４】
これにより、受信電話番号に基づく名前および電話番号の決定時間の最大値を大幅に短縮するための情報決定方法が得られる。
【００１５】
上記課題を解決するために本発明の記録媒体は、上記情報決定方法の各ステップを実行するためのプログラムを記録した構成を備えている。
【００１６】
これにより、上記情報決定方法を実行するための記録媒体が得られる。
【００１７】
【発明の実施の形態】
本発明の請求項１に記載の電話装置は、名前と電話番号を格納する電話帳部と、回線インタフェース部を介して電話回線からの電話番号情報を受信する電話番号情報受信部と、全体を制御する制御部とを有する電話装置であって、制御部は、電話帳部に格納された所定数の電話番号の下位の所定桁数の部分的電話番号を予め読み込んでＲＡＭに格納する第１の格納手段と、受信した電話番号情報の示す電話番号である受信電話番号をＲＡＭに格納する第２の格納手段と、格納した部分的電話番号と受信電話番号とを所定桁数において順次に比較する第１の比較手段と、第１の比較手段における比較において部分的電話番号と受信電話番号とが一致した場合には一致した部分的電話番号に対応する全桁の電話番号を電話帳部から読み出してＲＡＭに格納する第３の格納手段と、全桁の電話番号と受信電話番号とを比較する第２の比較手段と、第２の比較手段における比較において全桁の電話番号と受信電話番号とが一致した場合には全桁の電話番号に対応する名前を電話帳部から読み出してＲＡＭに格納する第４の格納手段と、対応する名前を表示する表示手段とを有することとしたものである。
【００１８】
この構成により、予め余裕時にＲＡＭすなわち揮発性メモリに格納した部分的電話番号と受信電話番号とを比較すればよいので、不揮発性メモリに格納した電話番号を読み出して比較する場合と比べて読出し時間を大幅に短縮することができ、また所定桁数のみを比較すればよいので、更に時間を短縮することができ、電話帳部の電話番号と受信電話番号との比較において極めて大幅に時間を短縮することができるという作用を有し、また、部分的電話番号と受信電話番号とが一致した場合には部分的電話番号に対応する全桁の電話番号と受信電話番号との比較を行うので、全桁の電話番号すなわち受信電話番号とそれに対応する名前を正確に決定することができるという作用を有する。
【００１９】
請求項２に記載の電話装置は、請求項１に記載の電話装置において、所定桁数は所定数の増減に応じて増減することとしたものである。
【００２０】
この構成により、電話帳に格納される所定数に応じて部分的電話番号の桁数が増減するので、電話番号情報を受信した時の全桁比較回路を少なくすることができ、比較動作に要する時間を短縮するという作用を有する。
【００２１】
請求項３に記載の電話装置は、請求項１または２に記載の電話装置において、第１の比較手段において所定数の電話番号のすべてが受信電話番号と一致しなかったと判定した場合には受信電話番号のみを表示手段が表示することとしたものである。
【００２２】
この構成により、電話帳に電話番号が登録されていないケースであっても、最低限の表示として、従来と同様の表示は可能であるという作用を有する。
【００２３】
請求項４に記載の情報決定方法は、名前と電話番号を格納する電話帳部と、回線インタフェース部を介して電話回線からの電話番号情報を受信する電話番号情報受信部と、全体を制御する制御部とを有する電話装置における情報決定方法であって、電話帳部に格納された所定数の電話番号の下位の所定桁数の部分的電話番号を予め読み込んでＲＡＭに格納する第１の格納ステップと、受信した電話番号情報の示す電話番号である受信電話番号をＲＡＭに格納する第２の格納ステップと、格納した部分的電話番号と受信電話番号とを所定桁数において順次に比較する第１の比較ステップと、第１の比較ステップにおける比較において部分的電話番号と受信電話番号とが一致した場合には一致した部分的電話番号に対応する全桁の電話番号を電話帳部から読み出してＲＡＭに格納する第３の格納ステップと、全桁の電話番号と受信電話番号とを比較する第２の比較ステップと、第２の比較ステップにおける比較において全桁の電話番号と受信電話番号とが一致した場合には全桁の電話番号に対応する名前を電話帳部から読み出してＲＡＭに格納する第４の格納ステップと、対応する名前を表示する第１の表示ステップとを有することとしたものである。
【００２４】
この構成により、予め余裕時にＲＡＭすなわち揮発性メモリに格納した部分的電話番号と受信電話番号とを比較すればよいので、不揮発性メモリに格納した電話番号を読み出して比較する場合と比べて読出し時間を大幅に短縮することができ、また所定桁数のみを比較すればよいので、更に時間を短縮することができ、電話帳部の電話番号と受信電話番号との比較において極めて大幅に時間を短縮することができるという作用を有し、また、部分的電話番号と受信電話番号とが一致した場合には部分的電話番号に対応する全桁の電話番号と受信電話番号との比較を行うので、全桁の電話番号すなわち受信電話番号とそれに対応する名前を正確に決定することができるという作用を有する。
【００２５】
請求項５に記載の情報決定方法は、請求項４に記載の情報決定方法であって、所定桁数は所定数の増減に応じて増減することとしたものである。
【００２６】
この構成により、電話帳に格納される所定数に応じて部分的電話番号の桁数が増減するので、電話番号情報を受信した時の全桁比較回路を少なくすることができ、比較動作に要する時間を短縮するという作用を有する。
【００２７】
請求項６に記載の情報決定方法は、請求項４または５に記載の情報決定方法において、第１の比較ステップにおいて所定数の電話番号のすべてが受信電話番号と一致しなかったと判定した場合には受信電話番号のみを表示する第２の表示ステップを備えることとしたものである。
【００２８】
この構成により、電話帳に電話番号が登録されていないケースであっても、最低限の表示として、従来と同様の表示は可能であるという作用を有する。
【００２９】
請求項７に記載の記録媒体は、請求項４乃至６のいずれか１に記載の情報決定方法の各ステップを実行するためのプログラムを記録することとしたものである。
【００３０】
この構成により、汎用コンピュータを用いて、請求項４乃至６のいずれか１に記載の情報決定方法を任意の時間に任意の場所で実行することができるという作用を有する。
【００３１】
以下、本発明の実施の形態について、図１〜図４を用いて説明する。
【００３２】
（実施の形態１）
本発明の実施の形態１による電話装置は従来と同様、図１の構成である。
【００３３】
図２は、本実施の形態による電話装置の制御部１１における機能実現手段を示す機能ブロック図である。
【００３４】
図２において、１１１は電源オン時や電話帳部への登録時などの余裕時に電話帳部に格納された所定数（ここでは１００）の電話番号の下位の所定桁数（ここでは２桁）の部分的電話番号を予め読み込んでＲＡＭ１３に格納すると共に、受信した電話番号情報の示す電話番号である受信電話番号をＲＡＭ１３に格納する格納手段、１１２はＲＡＭ１３に格納した部分的電話番号と受信電話番号とを所定桁数において順次に比較すると共に、全桁の電話番号と受信電話番号とを比較する比較手段、１１３は全桁の電話番号と対応する名前とを表示部３に表示させる表示手段、１１４は所定数の部分的電話番号との比較が終了したか否かを判定する比較判定手段である。
【００３５】
次に、このように構成された電話装置の制御部１１について、その動作を図３、図４を用いて説明する。図３は本実施の形態による電話装置の動作を示すフローチャートであり、図４は本実施の形態による電話装置の動作説明図である。図４において、表示部３と制御部（ＣＰＵ）１１と電話回線２０は図１と同様のものであり、１４は名前と電話番号が対になって格納されている電話帳部である。この電話帳部１４は図４に示すように記憶部４に含まれる。
【００３６】
図３の動作を行う前に、事前準備として、格納手段１１１は、電源オン時や電話帳部への登録時などの余裕時に、電話帳部１４に格納された所定数の電話番号の下位の所定桁数の部分的電話番号（たとえばＮｏ．１、２、３の下位２桁の番号４１、７６、８９）を予め読み込んで、ＲＡＭ１３に格納する（第１の格納ステップ）。
【００３７】
次に、図３において、格納手段１１１は、電話がかかってきたとき、電話局が送信してくる電話をかけた相手の電話番号情報（電話番号を示す情報）を回線インタフェース部５を介してコーラＩＤ情報受信部６で受信し、この受信電話番号情報の示す電話番号（受信電話番号）をＲＡＭ１３に格納する（Ｓ１、第２の格納ステップ）。次に、比較手段１１２は、ＲＡＭ１３に格納した部分的電話番号と受信電話番号とを所定桁数において順次に比較する（Ｓ２、第１の比較ステップ）。次に、格納手段１１１は、第１の比較ステップＳ２における比較において部分的電話番号と受信電話番号とが一致した場合には一致した部分的電話番号に対応する全桁の電話番号を電話帳部１４から読み出してＲＡＭ１３に格納する（Ｓ３、第３の格納ステップ）。次に、比較手段１１２は、電話帳部１４から読み出した全桁の電話番号と受信電話番号とを比較する（Ｓ４、第２の比較ステップ）。格納手段１１２は、第２の比較ステップＳ４における比較において全桁の電話番号と受信電話番号とが一致した場合には全桁の電話番号に対応する名前を電話帳部１４から読み出してＲＡＭ１３に格納する（Ｓ５、第４の格納ステップ）。次に、表示手段１１３は、全桁の電話番号と対応する名前とを表示部３に表示する（Ｓ６、第１の表示ステップ）。
【００３８】
第１の比較ステップＳ２において所定数の電話番号のすべてが受信電話番号と一致しなかったと比較判定手段１１４が判定した場合には（Ｓ７）、表示手段１１３は受信電話番号のみを表示する（Ｓ８、第２の表示ステップ）。
【００３９】
なお、本実施の形態では、電話帳部１４の所定数を１００、第１の比較ステップにおける比較桁数を２としている。これは、２桁が一致する確率は１００分の１であるので、所定数が１００であっても全桁比較するのは１つか２つであり、全桁比較が増えることによる比較動作の長時間化を防止している。したがって、所定数が増えれば桁数を増やして、例えば所定数が１０００であれば桁数を３桁にして、全桁比較の回数を少なくすることが望ましい。
【００４０】
以上のように本実施の形態によれば、制御部１１は、電話帳部に格納された所定数の電話番号の下位の所定桁数の部分的電話番号を予め読み込んでＲＡＭ１３に格納する第１の格納手段１１１と、受信した電話番号情報の示す電話番号である受信電話番号をＲＡＭ１３に格納する第２の格納手段１１１と、格納した部分的電話番号と受信電話番号とを所定桁数において順次に比較する第１の比較手段１１２と、第１の比較手段１１２における比較において部分的電話番号と受信電話番号とが一致した場合には一致した部分的電話番号に対応する全桁の電話番号を電話帳部から読み出してＲＡＭ１３に格納する第３の格納手段１１１と、全桁の電話番号と受信電話番号とを比較する第２の比較手段１１２と、第２の比較手段１１２における比較において全桁の電話番号と受信電話番号とが一致した場合には全桁の電話番号に対応する名前を電話帳部から読み出してＲＡＭ１３に格納する第４の格納手段１１１と、対応する名前を表示する表示手段１１３とを有することにより、予め余裕時にＲＡＭ１３すなわち揮発性メモリに格納した部分的電話番号と受信電話番号とを比較すればよいので、不揮発性メモリに格納した電話番号を読み出して比較する場合と比べて読出し時間を大幅に短縮することができ、また所定桁数のみを比較すればよいので、更に時間を短縮することができ、電話帳部の電話番号と受信電話番号との比較において極めて大幅に時間を短縮することができるという有利な効果が得られ、また、部分的電話番号と受信電話番号とが一致した場合には部分的電話番号に対応する全桁の電話番号と受信電話番号との比較を行うので、全桁の電話番号すなわち受信電話番号とそれに対応する名前を正確に決定することができる。
【００４１】
また、所定桁数は所定数の増減に応じて増減することにより、電話番号情報を受信した時の全桁比較回路を少なくすることができ、比較動作に要する時間を短縮する。
【００４２】
さらに、第１の比較手段１１２において所定数の電話番号のすべてが受信電話番号と一致しなかったと判定した場合には受信電話番号のみを表示手段が表示することにより、電話帳に電話番号が登録されていないケースであっても、最低限の表示として、従来と同様の表示は可能であるという作用を有する。
【００４３】
さらに、図３の情報決定方法の各ステップを実行するためのプログラムを記録媒体に記録することとすれば、汎用コンピュータを用いて、図３の情報決定方法を任意の時間に任意の場所で実行することができる。
【００４４】
【発明の効果】
以上説明したように本発明の請求項１に記載の電話装置によれば、名前と電話番号を格納する電話帳部と、回線インタフェース部を介して電話回線からの電話番号情報を受信する電話番号情報受信部と、全体を制御する制御部とを有する電話装置であって、制御部は、電話帳部に格納された所定数の電話番号の下位の所定桁数の部分的電話番号を予め読み込んでＲＡＭに格納する第１の格納手段と、受信した電話番号情報の示す電話番号である受信電話番号をＲＡＭに格納する第２の格納手段と、格納した部分的電話番号と受信電話番号とを所定桁数において順次に比較する第１の比較手段と、第１の比較手段における比較において部分的電話番号と受信電話番号とが一致した場合には一致した部分的電話番号に対応する全桁の電話番号を電話帳部から読み出してＲＡＭに格納する第３の格納手段と、全桁の電話番号と受信電話番号とを比較する第２の比較手段と、第２の比較手段における比較において全桁の電話番号と受信電話番号とが一致した場合には全桁の電話番号に対応する名前を電話帳部から読み出してＲＡＭに格納する第４の格納手段と、対応する名前を表示する表示手段とを有することにより、予め余裕時にＲＡＭすなわち揮発性メモリに格納した部分的電話番号と受信電話番号とを比較すればよいので、不揮発性メモリに格納した電話番号を読み出して比較する場合と比べて読出し時間を大幅に短縮することができ、また所定桁数のみを比較すればよいので、更に時間を短縮することができ、電話帳部の電話番号と受信電話番号との比較において極めて大幅に時間を短縮することができるという作用を有し、また、部分的電話番号と受信電話番号とが一致した場合には部分的電話番号に対応する全桁の電話番号と受信電話番号との比較を行うので、全桁の電話番号すなわち受信電話番号とそれに対応する名前を正確に決定することができるという有利な効果が得られる。
【００４５】
請求項２に記載の電話装置によれば、請求項１に記載の電話装置において、所定桁数は所定数の増減に応じて増減することにより、電話帳に格納される所定数に応じて部分的電話番号の桁数が増減するので、電話番号情報を受信した時の全桁比較回路を少なくすることができ、比較動作に要する時間を短縮するという有利な効果が得られる。
【００４６】
請求項３に記載の電話装置によれば、請求項１または２に記載の電話装置において、第１の比較手段において所定数の電話番号のすべてが受信電話番号と一致しなかったと判定した場合には受信電話番号のみを表示手段が表示することにより、電話帳に電話番号が登録されていないケースであっても、最低限の表示として、従来と同様の表示は可能であるという有利な効果が得られる。
【００４７】
請求項４に記載の情報決定方法によれば、名前と電話番号を格納する電話帳部と、回線インタフェース部を介して電話回線からの電話番号情報を受信する電話番号情報受信部と、全体を制御する制御部とを有する電話装置における情報決定方法であって、電話帳部に格納された所定数の電話番号の下位の所定桁数の部分的電話番号を予め読み込んでＲＡＭに格納する第１の格納ステップと、受信した電話番号情報の示す電話番号である受信電話番号をＲＡＭに格納する第２の格納ステップと、格納した部分的電話番号と受信電話番号とを所定桁数において順次に比較する第１の比較ステップと、第１の比較ステップにおける比較において部分的電話番号と受信電話番号とが一致した場合には一致した部分的電話番号に対応する全桁の電話番号を電話帳部から読み出してＲＡＭに格納する第３の格納ステップと、全桁の電話番号と受信電話番号とを比較する第２の比較ステップと、第２の比較ステップにおける比較において全桁の電話番号と受信電話番号とが一致した場合には全桁の電話番号に対応する名前を電話帳部から読み出してＲＡＭに格納する第４の格納ステップと、対応する名前を表示する第１の表示ステップとを有することにより、予め余裕時にＲＡＭすなわち揮発性メモリに格納した部分的電話番号と受信電話番号とを比較すればよいので、不揮発性メモリに格納した電話番号を読み出して比較する場合と比べて読出し時間を大幅に短縮することができ、また所定桁数のみを比較すればよいので、更に時間を短縮することができ、電話帳部の電話番号と受信電話番号との比較において極めて大幅に時間を短縮することができるという作用を有し、また、部分的電話番号と受信電話番号とが一致した場合には部分的電話番号に対応する全桁の電話番号と受信電話番号との比較を行うので、全桁の電話番号すなわち受信電話番号とそれに対応する名前を正確に決定することができるという有利な効果が得られる。
【００４８】
請求項５に記載の情報決定方法によれば、請求項４に記載の情報決定方法であって、所定桁数は所定数の増減に応じて増減することにより、電話帳に格納される所定数に応じて部分的電話番号の桁数が増減するので、電話番号情報を受信した時の全桁比較回路を少なくすることができ、比較動作に要する時間を短縮するという有利な効果が得られる。
【００４９】
請求項６に記載の情報決定方法によれば、請求項４または５に記載の情報決定方法において、第１の比較ステップにおいて所定数の電話番号のすべてが受信電話番号と一致しなかったと判定した場合には受信電話番号のみを表示する第２の表示ステップを備えたことにより、電話帳に電話番号が登録されていないケースであっても、最低限の表示として、従来と同様の表示は可能であるという有利な効果が得られる。
【００５０】
請求項７に記載の記録媒体は、請求項４乃至６のいずれか１に記載の情報決定方法の各ステップを実行するためのプログラムを記録したことにより、汎用コンピュータを用いて、請求項４乃至６のいずれか１に記載の情報決定方法を任意の時間に任意の場所で実行することができるという有利な効果が得られる。
【図面の簡単な説明】
【図１】一般的な電話装置を示すブロック図
【図２】本発明の実施の形態１による電話装置の制御部における機能実現手段を示す機能ブロック図
【図３】本発明の実施の形態１による電話装置の動作を示すフローチャート
【図４】本発明の実施の形態１による電話装置の動作説明図
【図５】従来の電話装置の動作を示すフローチャート
【図６】従来の電話装置の動作説明図
【符号の説明】
１　コンピュータ
２　操作部
３　表示部
４　記憶部
５　回線インタフェース部
６　コーラＩＤ情報受信部（Ｃａｌｌｅｒ−ＩＤ情報受信部、電話番号情報受信部）
７　通話回路部
８　送話部
９　受話部
１１　制御部
１２　ＲＯＭ
１３　ＲＡＭ
１４　電話帳部
２０　電話回線
１１１　格納手段
１１２　比較手段
１１３　表示手段
１１４　比較判定手段
【図１】
2004048238.tif 000003
【図２】
2004048238.tif 000004
【図３】
2004048238.tif 000005
【図４】
2004048238.tif 000006
【図５】
2004048238.tif 000007
【図６】
2004048238.tif 000008